(57)【要約】【課題】高圧電源の各出力に伴なうノイズや、搬送時に剥離帯電した記録媒体から放電するときに発生するノイズの影響をなくすことができ、正しく情報の読み出し、書き込みを行うことができる画像形成装置および情報処理方法を提供する。【解決手段】帯電器，現像器，転写器の高圧電源による電源供給（帯電出力ＶＰｒ，現像出力ＶＤｖ，転写出力ＶＴｒ参照）を停止してから、装置の状態情報を記憶する不揮発性記憶素子へのアクセス（読み出しデータ信号参照）を行うようにする。【選択図】　　　　図３
2004133037.tif 000002
【特許請求の範囲】
【請求項１】
画像形成のための高圧電源と、
装置の状態情報を記憶する不揮発性記憶媒体と、
前記不揮発性記憶媒体に対してアクセスを行う場合に、前記高圧電源による電源供給を停止してからアクセスを行うように制御する制御手段と、
を備えたことを特徴とする画像形成装置。
【請求項２】
装置の状態情報を記憶する不揮発性記憶媒体と、
感光ドラム，現像器，帯電器，転写器と前記不揮発性記憶媒体を有するカートリッジと、
前記現像器，帯電器，転写器の高圧電源と、
前記不揮発性記憶媒体に対してアクセスを行う場合に、前記高圧電源からの電源供給を停止してからアクセスを行うように制御する制御手段と、
を備えたことを特徴とする画像形成装置。
【請求項３】
画像形成のための高圧電源と、
装置の状態情報を記憶する不揮発性記憶媒体と、
前記高圧電源の電源ラインに設けた開閉器と、
前記不揮発性記憶媒体に対してアクセスを行う場合に、前記開閉器を開いた後にアクセスを行うように制御する制御手段と、
を備えたことを特徴とする画像形成装置。
【請求項４】
画像形成のための高圧電源と、
装置の状態情報を記憶する不揮発性記憶媒体と、
前記高圧電源の電源ラインに設けた第一の開閉器と、
前記不揮発性記憶媒体の電源ラインに設けた第二の開閉器と、
前記第一の開閉器と第二の開閉器の開閉状態が互いに逆になるように駆動する駆動手段と、
前記不揮発性記憶媒体に対してアクセスを行う場合に、前記駆動手段により前記第一の開閉器を開き、前記第二の開閉器を閉じるように駆動してからアクセスを行うように制御する制御手段と、
を備えたことを特徴とする画像形成装置。
【請求項５】
記録媒体の搬送駆動を行う駆動モータと、
前記駆動モータを付勢する電源と、
装置の状態情報を記憶する不揮発性記憶媒体と、
前記不揮発性記憶媒体に対してアクセスを行う場合に、前記電源による電源供給を停止してからアクセスを行うように制御する制御手段と、
を備えたことを特徴とする画像形成装置。
【請求項６】
記録媒体の搬送駆動を行う駆動モータと、
前記駆動モータを付勢する電源と、
装置の状態情報を記憶する不揮発性記憶媒体と、
前記電源の電源ラインに設けた開閉器と、
前記不揮発性記憶媒体に対してアクセスを行う場合に、前記開閉器を開いた後にアクセスを行うように制御する制御手段と、
を備えたことを特徴とする画像形成装置。
【請求項７】
記録媒体の搬送駆動を行う駆動モータと、
前記駆動モータを付勢する電源と、
装置の状態情報を記憶する不揮発性記憶媒体と、
前記電源の電源ラインに設けた第三の開閉器と、
前記不揮発性記憶媒体の電源ラインに設けた第二の開閉器と、
前記第三の開閉器と第二の開閉器の開閉状態が互いに逆になるように駆動する駆動手段と、
前記不揮発性記憶媒体に対してアクセスを行う場合に、前記駆動手段により前記第三の開閉器を開き、前記第二の開閉器を閉じるように駆動してからアクセスを行うように制御する制御手段と、
を備えたことを特徴とする画像形成装置。
【請求項８】
画像形成のための高圧電源と、
記録媒体の搬送駆動を行う駆動モータと、
前記駆動モータを付勢する電源と、
装置の状態情報を記憶する不揮発性記憶媒体と、
前記不揮発性記憶媒体に対してアクセスを行う場合に、前記高圧電源および前記電源による電源供給を停止してからアクセスを行うように制御する制御手段と、
を備えたことを特徴とする画像形成装置。
【請求項９】
画像形成のための高圧電源と、
記録媒体の搬送駆動を行う駆動モータと、
前記駆動モータを付勢する電源と、
装置の状態情報を記憶する不揮発性記憶媒体と、
前記高圧電源ラインに設けた第一の開閉器と、
前記電源の電源ラインに設けた第三の開閉器と、
前記不揮発性記憶媒体に対してアクセスを行う場合に、前記第一の開閉器と前記第三の開閉器を開いてからアクセスを行うように制御する制御手段と、
を備えたことを特徴とする画像形成装置。
【請求項１０】
画像形成のための高圧電源と、
記録媒体の搬送駆動を行う駆動モータと、
前記駆動モータを付勢する電源と、
装置の状態情報を記憶する不揮発性記憶媒体と、
前記高圧電源ラインに設けた第一の開閉器と、
前記電源の電源ラインに設けた第三の開閉器と、
前記不揮発性媒体の電源ラインに設けた第二の開閉器と、
前記不揮発性記憶媒体に対してアクセスを行う場合に、前記第一の開閉器と前記第三の開閉器を開き、前記第二の開閉器を閉じてからアクセスを行うように制御する制御手段と、
を備えたことを特徴とする画像形成装置。
【請求項１１】
請求項３，４，６，７，９のいずれかに記載の画像形成装置において、
前記開閉器は、半導体回路により構成されていることを特徴とする画像形成装置。
【請求項１２】
請求項３，４，６，７，９のいずれかに記載の画像形成装置において、
前記開閉器は、リレー回路により構成されていることを特徴とする画像形成装置。
【請求項１３】
請求項１および請求項３ないし１２のいずれかに記載の画像形成装置において、
前記不揮発性記憶媒体は、感光体を有するカートリッジに設けた不揮発性記憶媒体および／またはカートリッジ外に設けた不揮発性記憶媒体であることを特徴とする画像形成装置。
【請求項１４】
画像形成のための高圧電源と、装置の状態情報を記憶する不揮発性記憶媒体とを備えた画像形成装置における情報処理方法であって、
前記高圧電源による電源供給を停止するステップＡと、
前記ステップＡの実行後に前記不揮発性記憶媒体のアクセスを行うステップＢと、
を備えたことを特徴とする画像形成装置における情報処理方法。
【請求項１５】
記録媒体の搬送駆動を行う駆動モータと、前記駆動モータを付勢する電源と、装置の状態情報を記憶する不揮発性記憶媒体とを備えた画像形成装置における情報処理方法であって、
前記電源による電源供給を停止するステップＣと、
前記ステップＣの実行後に前記不揮発性記憶媒体のアクセスを行うステップＤと、
を備えたことを特徴とする画像形成装置における情報処理方法。
【請求項１６】
画像形成のための高圧電源と、記録媒体の搬送駆動を行う駆動モータと、前記駆動モータを付勢する電源と、装置の状態情報を記憶する不揮発性記憶媒体とを備えた画像形成装置における情報処理方法であって、
前記高圧電源および前記電源による電源供給を停止するステップＥ、
前記ステップＥの実行後に前記不揮発性記憶媒体のアクセスを行うステップＦと、
を備えたことを特徴とする画像形成装置における情報処理方法。
【発明の詳細な説明】
【０００１】
【発明の属する技術分野】
本発明は、電子写真プロセスを用いた画像形成装置に関し、不揮発性記憶媒体（以下ＥＥＰＲＯＭとして説明する）を、装置および感光ドラム，帯電器，現像器，転写器等の交換部品をユニット化した部品（以下カートリッジ）に装着し、装置およびカートリッジの状態情報を記憶して、再起動後やカートリッジを交換後に記憶された情報を読み出すことにより、画像形成時に最適な処理を施す機能に関するものである。
【０００２】
【従来の技術】
図９は、この種の画像形成装置の一例（レーザビームプリンタの場合）を示す断面構成図で、図１０はその電気回路のブロック図である。
【０００３】
図９において、１００はコントローラ部で、図示しないホストコンピュータから入力されたコードデータである電気信号をビデオコントローラ１０３で、ドットイメージに展開し、ビデオコントローラ１０３内部のメモリに格納した後、エンジン部１０２にビデオ信号として転送する。エンジン部１０２の各要素は、エンジンコントローラ１０５により制御され、コントローラ部１００とのビデオ信号のやり取りもエンジンコントローラ１０５を介して行われる。
【０００４】
エンジンコントローラ１０５のビデオインタフェース部（図示しない）に入力されたビデオ信号は、レーザドライバ１０６に送出され、ここで半導体レーザ１０７のＯＮ／ＯＦＦが制御される。この半導体レーザ１０７から出射されたレーザ光１１０はポリゴンミラー１０８により偏向されて感光ドラム１１２の長手方向の走査光となり、ミラー１０９を介して感光ドラム１１２上に投影される。感光ドラム１１２は、矢印方向に回転し、一次帯電器１１１により一時帯電された後、レーザ光のＯＮ／ＯＦＦに応じた露光を受け、感光ドラム１１２表面に静電潜像が形成される。そして、現像器１１３により着色荷電粒子（以後、トナーと称する）が付与され、顕像が得られた後、転写帯電器１１４により給紙カセット１２０から給紙ローラ１２１によって一枚づつ取り出された記録媒体に前記顕像が移しとられる。転写残りトナーは、感光ドラム１１２の表面よりクリーニング器１１５により払い拭われ、感光ドラム１１２は次の画像形成工程に備える。
【０００５】
一方、未定着トナー像が載った記録媒体は、定着器１１６に挿通され、永久定着像が得られた後、最終プリントとして記録媒体は図中矢印方向に従って機外に排出される。なお、図中の矢印は、給紙カセット１２０から取り出されて搬送される記録媒体の給送軌跡を示す。
【０００６】
定着器１１６は中空の定着ローラ１１７にヒータ（定着ヒータ）１１９を有しておりヒータ１１９に通電することで定着ローラ１１７が加熱され、定着ローラ１１７の表面温度を検知するセンサ（図示しない）の出力が温度コントローラ（図示しない）に入力され、ヒータ１１９がＯＮ／ＯＦＦされて、所定の表面温度が維持される。加圧ローラ１１８は付勢手段（図示しない）により定着ローラ１１７に押圧され、記録媒体に載った状態の未定着トナーは定着ローラ１１７と加圧ローラ１１８のなすニップ内で記録媒体とともに加熱，加圧され永久定着される。
【０００７】
感光ドラム１１２，一次帯電器１１１，現像器１１３，クリーニング器１１５，第二のＥＥＰＲＯＭ１３１をひとまとまりのユニットとして、カートリッジ１３０を構成する。第二のＥＥＰＲＯＭ１３１には、カートリッジ１３０に関する情報（例えば、製造日時，通紙枚数，稼働時間，トナー消費量など）を記憶して画像形成時の高圧出力条件などを最適化するために用いる。
【０００８】
【発明が解決しようとする課題】
図１１に示すように高圧電源を出力中は、ＥＥＰＲＯＭ１３１の電源ラインＶｃｃ３にもノイズが発生することが有り、装置の一連の設定情報をカートリッジ内の第二のＥＥＰＲＯＭ１３１に書き込むときや読み出すときに不具合が発生してしまうことがある。情報を書き込めなかったり読み出せないなどの不具合が発生し画像形成プロセスを最適化できないため、正しく記録媒体に画像を出力できなくなる。
【０００９】
特にエンジンコントローラ１０５からカートリッジのＥＥＰＲＯＭ１３１に接続するためのケーブルが長い場合にノイズの影響を受けやすい。
【００１０】
高圧が印加されている現像器１１３，帯電器１１１，転写器１１４のロール表面の傷や感光ドラム１１２表面の傷によりノイズが発生することが有る。また、各ロールの軸や軸受け部、周動接点部の接触不具合によってもノイズが発生する。また、各ロールの接点を開閉するときにもノイズが発生する。
【００１１】
記録媒体（紙など）を一枚ずつ取り出して給紙する際に記録媒体が剥離帯電し給紙部や搬送部を構成するロールに対して帯電した電荷が放電する。この放電する時にノイズが発生する。
【００１２】
本発明は、このような状況のもとでなされたもので、高圧電源の各出力に伴なうノイズや、搬送時に剥離帯電した記録媒体から放電するときに発生するノイズの影響をなくすことができ、正しく情報の読み出し、書き込みを行うことができる画像形成装置および情報処理方法を提供することを目的とするものである。
【００１３】
【課題を解決するための手段】
前記目的を達成するため、本発明では、画像形成装置を次の（１）ないし（１３）のとおりに構成し、画像形成装置における情報処理方法を次の（１４）ないし（１６）のとおりに構成する。
【００１４】
（１）画像形成のための高圧電源と、
装置の状態情報を記憶する不揮発性記憶媒体と、
前記不揮発性記憶媒体に対してアクセスを行う場合に、前記高圧電源による電源供給を停止してからアクセスを行うように制御する制御手段と、
を備えた画像形成装置。
【００１５】
（２）装置の状態情報を記憶する不揮発性記憶媒体と、
感光ドラム，現像器，帯電器，転写器と前記不揮発性記憶媒体を有するカートリッジと、
前記現像器，帯電器，転写器の高圧電源と、
前記不揮発性記憶媒体に対してアクセスを行う場合に、前記高圧電源からの電源供給を停止してからアクセスを行うように制御する制御手段と、
を備えた画像形成装置。
【００１６】
（３）画像形成のための高圧電源と、
装置の状態情報を記憶する不揮発性記憶媒体と、
前記高圧電源の電源ラインに設けた開閉器と、
前記不揮発性記憶媒体に対してアクセスを行う場合に、前記開閉器を開いた後にアクセスを行うように制御する制御手段と、
を備えた画像形成装置。
【００１７】
（４）画像形成のための高圧電源と、
装置の状態情報を記憶する不揮発性記憶媒体と、
前記高圧電源の電源ラインに設けた第一の開閉器と、
前記不揮発性記憶媒体の電源ラインに設けた第二の開閉器と、
前記第一の開閉器と第二の開閉器の開閉状態が互いに逆になるように駆動する駆動手段と、
前記不揮発性記憶媒体に対してアクセスを行う場合に、前記駆動手段により前記第一の開閉器を開き、前記第二の開閉器を閉じるように駆動してからアクセスを行うように制御する制御手段と、
を備えた画像形成装置。
【００１８】
（５）記録媒体の搬送駆動を行う駆動モータと、
前記駆動モータを付勢する電源と、
装置の状態情報を記憶する不揮発性記憶媒体と、
前記不揮発性記憶媒体に対してアクセスを行う場合に、前記電源による電源供給を停止してからアクセスを行うように制御する制御手段と、
を備えた画像形成装置。
【００１９】
（６）記録媒体の搬送駆動を行う駆動モータと、
前記駆動モータを付勢する電源と、
装置の状態情報を記憶する不揮発性記憶媒体と、
前記電源の電源ラインに設けた開閉器と、
前記不揮発性記憶媒体に対してアクセスを行う場合に、前記開閉器を開いた後にアクセスを行うように制御する制御手段と、
を備えた画像形成装置。
【００２０】
（７）記録媒体の搬送駆動を行う駆動モータと、
前記駆動モータを付勢する電源と、
装置の状態情報を記憶する不揮発性記憶媒体と、
前記電源の電源ラインに設けた第三の開閉器と、
前記不揮発性記憶媒体の電源ラインに設けた第二の開閉器と、
前記第三の開閉器と第二の開閉器の開閉状態が互いに逆になるように駆動する駆動手段と、
前記不揮発性記憶媒体に対してアクセスを行う場合に、前記駆動手段により前記第三の開閉器を開き、前記第二の開閉器を閉じるように駆動してからアクセスを行うように制御する制御手段と、
を備えた画像形成装置。
【００２１】
（８）画像形成のための高圧電源と、
記録媒体の搬送駆動を行う駆動モータと、
前記駆動モータを付勢する電源と、
装置の状態情報を記憶する不揮発性記憶媒体と、
前記不揮発性記憶媒体に対してアクセスを行う場合に、前記高圧電源および前記電源による電源供給を停止してからアクセスを行うように制御する制御手段と、
を備えた画像形成装置。
【００２２】
（９）画像形成のための高圧電源と、
記録媒体の搬送駆動を行う駆動モータと、
前記駆動モータを付勢する電源と、
装置の状態情報を記憶する不揮発性記憶媒体と、
前記高圧電源ラインに設けた第一の開閉器と、
前記電源の電源ラインに設けた第三の開閉器と、
前記不揮発性記憶媒体に対してアクセスを行う場合に、前記第一の開閉器と前記第三の開閉器を開いてからアクセスを行うように制御する制御手段と、
を備えた画像形成装置。
【００２３】
（１０）画像形成のための高圧電源と、
記録媒体の搬送駆動を行う駆動モータと、
前記駆動モータを付勢する電源と、
装置の状態情報を記憶する不揮発性記憶媒体と、
前記高圧電源ラインに設けた第一の開閉器と、
前記電源の電源ラインに設けた第三の開閉器と、
前記不揮発性媒体の電源ラインに設けた第二の開閉器と、
前記不揮発性記憶媒体に対してアクセスを行う場合に、前記第一の開閉器と前記第三の開閉器を開き、前記第二の開閉器を閉じてからアクセスを行うように制御する制御手段と、
を備えた画像形成装置。
【００２４】
（１１）前記（３），（４），（６），（７），（９）のいずれかに記載の画像形成装置において、
前記開閉器は、半導体回路により構成されている画像形成装置。
【００２５】
（１２）前記（３），（４），（６），（７），（９）のいずれかに記載の画像形成装置において、
前記開閉器は、リレー回路により構成されている画像形成装置。
【００２６】
（１３）前記（１）および前記（３）ないし（１２）のいずれかに記載の画像形成装置において、
前記不揮発性記憶媒体は、感光体を有するカートリッジに設けた不揮発性記憶媒体および／またはカートリッジ外に設けた不揮発性記憶媒体である画像形成装置。
【００２７】
（１４）画像形成のための高圧電源と、装置の状態情報を記憶する不揮発性記憶媒体とを備えた画像形成装置における情報処理方法であって、
前記高圧電源による電源供給を停止するステップＡと、
前記ステップＡの実行後に前記不揮発性記憶媒体のアクセスを行うステップＢと、
を備えた画像形成装置における情報処理方法。
【００２８】
（１５）記録媒体の搬送駆動を行う駆動モータと、前記駆動モータを付勢する電源と、装置の状態情報を記憶する不揮発性記憶媒体とを備えた画像形成装置における情報処理方法であって、
前記電源による電源供給を停止するステップＣと、
前記ステップＣの実行後に前記不揮発性記憶媒体のアクセスを行うステップＤと、
を備えた画像形成装置における情報処理方法。
【００２９】
（１６）画像形成のための高圧電源と、記録媒体の搬送駆動を行う駆動モータと、前記駆動モータを付勢する電源と、装置の状態情報を記憶する不揮発性記憶媒体とを備えた画像形成装置における情報処理方法であって、
前記高圧電源および前記電源による電源供給を停止するステップＥ、
前記ステップＥの実行後に前記不揮発性記憶媒体のアクセスを行うステップＦと、
を備えた画像形成装置における情報処理方法。
【００３０】
【発明の実施の形態】
以下本発明の実施の形態を画像形成装置の実施例により詳しく説明する。なお、本発明は、装置の形に限らず、実施例の説明に裏付けられて、方法の形で実施することもできる。
【００３１】
【実施例】
（実施例１）
図１は、実施例１である、“画像形成装置”のエンジンコントローラ，高圧電源，カートリッジ，低圧電源，開閉器の関係を示したブロック図である。図２は、その電気回路のブロック図であり、感光ドラム１１２，現像器１１３，一次帯電器１１１，クリーナ１１５、第二のＥＥＰＲＯＭ１３１で構成されるカートリッジ１３０と画像形成装置の関係を示すブロック図である。図３は、高圧電源の電源ラインをＯＦＦしてからＥＥＰＲＯＭ１３１に読み出しを行ったときのタイミング図である。
【００３２】
図３において、高圧電源の電源ラインを開閉する開閉器を制御する高圧電源スイッチ信号ＨＶＳＷ、高圧電源に供給する電源電圧Ｖｃｃ２、高圧電源の出力電圧の帯電出力ＶＰｒ、現像出力ＶＤｖ、転写出力ＶＴｒ、エンジンコントローラ１０５のマイコン（ＣＰＵ）などに供給される電源電圧Ｖｃｃ１、カートリッジに内蔵されるＥＥＰＲＯＭ１３１の読み出しクロック、読み出しデータ信号、電源電圧Ｖｃｃ３の関係を示す。ＥＥＰＲＯＭ１３１読み出しは、アドレス，パスワード，ＩＤ，データの４ブロックから構成されている。
【００３３】
高圧出力を停止してカートリッジのＥＥＰＲＯＭ１３１から情報を読み出すシーケンスを説明する。
【００３４】
エンジンコントローラ１０５のＲＯＭ１０５ｃに内蔵されているプログラムによりＣＰＵ１０５ａのＩ／Ｏポートから出力する高圧電源スイッチ信号ＨＶＳＷ（図１参照）をＨｉｇｈレベルにして高圧電源１０に電源を供給するように制御する。開閉器２００を構成するトランジスタＴｒ２はＨＶＳＷ信号がＨｉｇｈレベルになるとＯＮしてコレクタからエミッタに電流を流す。トランジスタＴｒ２のコレクタから抵抗Ｒ１を介して接続されるトランジスタＴｒ１のベースに電流が流れトランジスタＴｒ１がＯＮする。低圧電源４から高圧電源１０に接続されている電源ラインが通電され、Ｖｃｃ２の電圧が供給される。
【００３５】
エンジンコントローラ１０５は、高圧電源１０に接続される制御信号により各高圧出力（帯電ＶＰｒ，現像ＶＤｖ，転写ＶＴｒ）を制御する。
【００３６】
この高圧出力によりカートリッジのＥＥＰＲＯＭ１３１の電源ラインＶｃｃ３にノイズがのる。ノイズがのった状態でＥＥＰＲＯＭ１３１にアクセス（読み出し，書き込み）を行うと正しい情報をやり取りできないので、エンジンコントローラ１０５は、ＥＥＰＲＯＭ１３１にアクセスしない。
【００３７】
エンジンコントローラ１０５は、高圧電源１０に供給される電源を停止するために高圧電源スイッチ信号ＨＶＳＷをＬｏｗレベルにする。高圧電源スイッチ信号ＨＶＳＷがＬｏｗレベルになると開閉器２００のトランジスタＴｒ２がＯＦＦしてトランジスタＴｒ２とＴｒ１の間に接続されている抵抗Ｒ１に流れる電流を切断する。トランジスタＴｒ１のベースに流れる電流が切れるので、トランジスタＴｒ１はＯＦＦしてＶｃｃ２の電圧も低下して０Ｖになる。高圧電源１０に供給する電源Ｖｃｃ２が０Ｖになるので各高圧出力（帯電ＶＰｒ，現像ＶＤｖ，転写ＶＴｒ）も０Ｖになる。
【００３８】
各高圧出力が０Ｖになるので高圧出力に起因するＥＥＰＲＯＭ１３１の電源ラインＶｃｃ３に重畳されるノイズ成分も重畳されなくなり正常なＤＣ電圧になる。エンジンコントローラ１０５のＣＰＵ１０５ａのポートに接続されている読み出しクロック信号，読み出しデータ信号を制御してＥＥＰＲＯＭ１３１から情報を読み出し、書き込みクロック信号，書き込みデータ信号を制御して情報を記憶する。
【００３９】
このようにして、図３に示すように、ＥＥＰＲＯＭ１３１の電源ラインＶｃｃ３にノイズ成分が重畳されない状態でアクセスでき、ＥＥＰＲＯＭ１３１の電源ラインＶｃｃ３のノイズによる影響で誤った情報が読み出されたり記憶されることはなくなり、正しく情報を読み出し、記憶できるので画像形成時の設定条件を最適化できる。
【００４０】
図４は、一次帯電ローラ１１１の周動接点などの劣化により耐圧が低下し、一定の電圧以上出力しなくなった状態の帯電電圧ＶＰｒとＥＥＰＲＯＭ１３１の電源電圧Ｖｃｃ３のノイズの発生状態を説明するためのタイミング図であり、帯電電圧がマイナス側の一定の電圧をこえると電圧が増えない状態を示し、波形の破線部分で示される部分が正常な出力電圧を示している。しかし、一定の電圧以上出力できないためこの期間の波形は、クランプ状態となる。クランプしている期間は、耐圧が劣化している箇所で漏れ電流が流れ、この漏れ電流によりノイズが発生する。ＥＥＰＲＯＭ１３１の電源電圧波形は、このクランプしている期間にノイズが発生していることを示している。
【００４１】
以上説明したように、本実施例によれば、高圧電源の電源ラインを切断する機能により高圧電源の出力を停止してからカートリッジのＥＥＰＲＯＭにアクセスするので高圧電源の各出力によるノイズの影響をなくすことができ、正しく情報の読み出し，書き込みを行うことができる。
【００４２】
（実施例２）
図５は、実施例２である“画像形成装置”における、リレーを用いた開閉器の例を示すためのブロック図である。高圧電源１０の電源ラインＶｃｃ２にリレーＲＬが接続される。高圧電源スイッチ信号ＨＶＳＷは、エンジンコントローラ１０５のＣＰＵ１０５ａのポートからトランジスタＴｒ３のベースに接続されている。トランジスタＴｒ３は、リレーＲＬのコイルとＧＮＤに接続され、リレーＲＬのコイルの反対側は電源ラインＶｃｃ１に接続されている。
【００４３】
なお、本実施例の全体構成は実施例１と同様であり、その説明を援用する。
【００４４】
高圧電源の電源ラインＶｃｃ２をＯＮする場合の動作について説明すると、エンジンコントローラ１０５の制御プログラムは、ＣＰＵ１０５ａの高圧電源スイッチ信号ＨＶＳＷのポートをＯＮしてＨｉｇｈレベルにする。開閉器２００−１のトランジスタＴｒ３のベースがＨｉｇｈレベルになりトランジスタＴｒ３がＯＮしてコレクタからエミッタに電流を流す。トランジスタＴｒ３のコレクタは、リレーＲＬのコイルに接続されているので、リレーＲＬのコイルの反対側に接続されている電源Ｖｃｃ１からコイルに電流が流れ、電磁力によりリレーの接点を閉じる。リレーＲＬの接点側に接続されている低圧電源４と高圧電源１０のＶｃｃ２が繋がりＶｃｃ２の電圧が上昇する。Ｖｃｃ２が供給されるので高圧電源の出力を発生することが可能になる。
【００４５】
高圧電源１０の出力を停止するときには、高圧電源スイッチ信号ＨＶＳＷのポートをＯＦＦしてＬｏｗレベルにする。トランジスタＴｒ３は、ＯＦＦしてリレーＲＬのコイルの通電が停止する。コイルの電磁力がなくなるので接点は、バネ力で戻り接点が開く。Ｖｃｃ２ライン上の接点が開くのでＶｃｃ２は、０Ｖになる。Ｖｃｃ２が０Ｖになるので高圧の各出力は、停止する。
このように、リレー回路を用いて高圧電源１０の電源を制御することができる。
【００４６】
本実施例においても、実施例１と同様の効果が得られる。
【００４７】
（実施例３）
図６は、実施例３である“画像形成装置”の要部構成を示すブロック図であり、エンジンコントローラ１０５−１、低圧電源４、高圧電源１０、カートリッジ１３０、第一の開閉器２００、第二の開閉器２０１の接続を説明するための図である。
【００４８】
低圧電源４からエンジンコントローラ１０５−１に電源Ｖｃｃ１が接続され、高圧電源１０に第一の開閉器２００を介して電源Ｖｃｃ２が接続され、カートリッジのＥＥＰＲＯＭ１３１には開閉器２０１を介して電源Ｖｃｃ３が接続されている。エンジンコントローラ１０５−１のＣＰＵ１０５ａのＩ／Ｏポートから高圧電源スイッチ信号ＨＶＳＷが第一の開閉器２００とインバータ２０２に接続されている。インバータ２０２の出力端子から第二の開閉器２０１に接続される。
【００４９】
第一の開閉器２００と第二の開閉器２０１は、実施例１の開閉器２００と同様の構成の回路で、それぞれトランジスタＴｒ１（Ｔｒ４）、抵抗Ｒ１（Ｒ２）、トランジスタＴｒ２（Ｔｒ５）で構成される。第一の開閉器２００は、高圧電源の電源Ｖｃｃ２に接続して開閉し、第二の開閉器は２０１は、ＥＥＰＲＯＭ１３１の電源Ｖｃｃ３に接続して開閉する。
【００５０】
なお、本実施例の全体構成は、実施例１と同様であり、その説明を援用する。
【００５１】
図７は、高圧電源スイッチ信号ＨＶＳＷ，高圧電源の電源電圧Ｖｃｃ２，各高圧出力（帯電ＶＰｒ，現像ＶＤｖ，転写ＶＴｒ）、エンジンコントローラ１０５−１の電源電圧Ｖｃｃ１，ＥＥＰＲＯＭ１３１の読み出しクロック，ＥＥＰＲＯＭの読み出しデータ信号，ＥＥＰＲＯＭ１３１の電源電圧Ｖｃｃ３の関係を示すタイミング図である。高圧電源から各出力が出力している状態から出力を停止して、ＥＥＰＲＯＭ１３１から情報を読み出すときのタイミングを示している。
【００５２】
高圧電源の各出力を発生するためにエンジンコントローラ１０５−１のソフトウェアは、ＣＰＵ１０５ａのポートの高圧電源スイッチ信号ＨＶＳＷをＨｉｇｈにする。ＨＶＳＷ信号がＨｉｇｈになると第一の開閉器２００は、実施例１で説明したようにトランジスタＴｒ１，Ｔｒ２がＯＮしてＶｃｃ２の電圧が上昇する。一方、高圧電源スイッチ信号ＨＶＳＷは、インバータ２０２にも接続されているのでインバータの入力がＨｉｇｈレベルになると、出力はＬｏｗレベルになる。インバータ２０２の出力信号／ＨＶＳＷは、第二の開閉器２０１に接続されているのでトランジスタＴｒ５，Ｔｒ４がＯＦＦしてＥＥＰＲＯＭ１３１に供給される電源Ｖｃｃ３をＯＦＦして０Ｖする。
【００５３】
高圧電源に電源Ｖｃｃ２が供給されているので各高圧出力（帯電ＶＰｒ，現像ＶＤｖ，転写ＶＴｒ）を出力することができる。エンジンコントローラ１０５−１から出力する信号により各高圧出力（帯電ＶＰｒ，現像ＶＤｖ，転写ＶＴｒ）を制御する。
【００５４】
ＥＥＰＲＯＭ１３１にアクセスするために高圧電源スイッチ信号ＨＶＳＷをＬｏｗにして高圧電源に供給している電源Ｖｃｃ２をＯＦＦする。一方、インバータの出力信号／ＨＶＳＷは、Ｈｉｇｈレベルになるので第二の開閉器はＯＮしてＥＥＰＲＯＭの電源電圧Ｖｃｃ３をＯＮする。その後、エンジンコントローラ１０５−１は、クロック信号と読み出しデータ信号を制御してＥＥＰＲＯＭ１３１から情報を読み出す。このときの状況を図７に示す。
【００５５】
図８は、ＥＥＰＲＯＭ１３１に情報を書き込む時の例を示すタイミング図である。エンジンコントローラ１０５−１は、ＥＥＰＲＯＭ１３１に情報を書き込む前に高圧電源スイッチ信号ＨＶＳＷをＬｏｗレベルにして高圧電源に供給する電源電圧Ｖｃｃ２を停止して、ＥＥＰＲＯＭ１３１の電源電圧Ｖｃｃ３をＯＮしてから書き込みクロックと書き込みデータ信号を発生し、ＥＥＰＲＯＭ１３１へ情報を書き込む。
【００５６】
このようにして、本実施例においても実施例１と同様の効果を得ることができる。
【００５７】
また、実施例では説明していないが、駆動モータの電源ラインに開閉器を接続して高圧電源の電源ラインと同様に制御することにより、搬送時に剥離帯電した記録媒体から放電するときに発生するノイズの影響を防止してＥＥＰＲＯＭのアクセスを行い、正しく情報の読み出し，書き込みを行うことができる。
【００５８】
さらに、高圧電源ラインと駆動モータの電源ラインを同時に制御して、高圧電源ラインから発生するノイズと、搬送時に発生するノイズの影響を防止してＥＥＰＲＯＭのアクセスを行い、正しく情報の読み出し，書き込みを行うことができる。
【００５９】
なお、実施例等の説明では、高圧電源，駆動モータの電源の電源ラインに挿入した開閉器を開いて、高圧電源，駆動モータの電源による電源供給を停止しているが、この手法に限らず、各電源を制御するスイッチング素子等を不動作状態にして、各電源による電源供給を停止するようにしてもよい。
【００６０】
【発明の効果】
以上説明したように、本発明によれば、高圧電源の各出力を停止してから不揮発性記憶媒体にアクセスするので、高圧電源の各出力によるノイズの影響をなくすことができ、正しく情報の読み出し、書き込みを行うことができる。
【００６１】
また、駆動モータの電源ラインを高圧電源の電源ラインと同様に制御することにより、搬送時に剥離帯電した記録媒体から放電するときに発生するノイズの影響をなくすることができ、正しく情報の読み出し，書き込みを行うことができる。
【図面の簡単な説明】
【図１】実施例１の要部構成を示すブロック図
【図２】電気回路のブロック図
【図３】高圧電源とＥＥＰＲＯＭの読み出しの関係を示すタイミング図
【図４】高圧電源とＥＥＰＲＯＭの書き込みの関係を示すタイミング図
【図５】実施例２の要部構成を示すブロック図
【図６】実施例３の要部構成を示すブロック図
【図７】高圧電源とＥＥＰＲＯＭの読み出しの関係を示すタイミング図
【図８】高圧電源とＥＥＰＲＯＭの書き込みの関係を示すタイミング図
【図９】従来例の構成を示す断面図
【図１０】電気回路のブロック図
【図１１】高圧電源とＥＥＰＲＯＭの書き込みの関係を示すタイミング図
【符号の説明】
４　低圧電源
１０５ａ　ＣＰＵ
１０５ｄ　第一の不揮発性記憶媒体
１３１　　第二の不揮発性記憶媒体
２００　　第一の開閉器
２０１　　第二の開閉器
【図１】
2004133037.tif 000003
【図２】
2004133037.tif 000004
【図３】
2004133037.tif 000005
【図４】
2004133037.tif 000006
【図５】
2004133037.tif 000007
【図６】
2004133037.tif 000008
【図７】
2004133037.tif 000009
【図８】
2004133037.tif 000010
【図９】
2004133037.tif 000011
【図１０】
2004133037.tif 000012
【図１１】
2004133037.tif 000013